(57)【特許請求の範囲】
【請求項１】
透液性表面シートと不透液性裏面シートとの間に吸収体が介在された吸収性物品において、
前記吸収性物品の体液排出部位を挟む両側に、前記吸収性物品の略前後方向に沿うとともに、幅方向外側に向けて凸の１又は複数の弧状曲線によって形成された左右一対のフィットエンボスと、これらフィットエンボスの前後端に近接するか或いは接触した４箇所にそれぞれ、前記体液排出部位側に向けて凸の１又は複数の弧状曲線であって前記フィットエンボスよりも小サイズで前記フィットエンボスで挟まれた領域に対して両側からの脚圧によって体液排出部位側に向かう圧縮力を生じさせ、前記フィットエンボスで挟まれた排血口対応領域の表面側への隆起を促進するための隆起促進用エンボスとが設けられているとともに、前記隆起促進用エンボスは、前記フィットエンボスと前記吸収性物品の前後方向に重なり代を有するように設けられていることを特徴とする吸収性物品。
【請求項２】
前記吸収性物品の両側部にそれぞれ、装着時に基端部を折り返して下着のクロッチ部分を巻き込むようにして固定されるウイング状フラップが形成され、
前記フィットエンボスは、前記ウイング状フラップの基端部折返し線の中央部から前後方向にそれぞれ２０mm〜４０mmの範囲内に形成されている請求項１記載の吸収性物品。
【請求項３】
前記吸収性物品の両側部にそれぞれ、装着時に基端部を折り返して下着のクロッチ部分を巻き込むようにして固定されるウイング状フラップが形成され、
前記フィットエンボス及び隆起促進用エンボスは、前記ウイング状フラップの基端部折返し線の中央部から前後方向にそれぞれ４０mm〜６０mmの範囲内に形成されている請求項１記載の吸収性物品。
【請求項４】
前記吸収体には、前記フィットエンボスで挟まれた領域に対応する領域に裏面側からエンボスが付与してある請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、身体への密着性を向上させ漏れ軽減を図った吸収性物品に関する。
【背景技術】
【０００２】
従来より、パンティーライナー、生理用ナプキン、失禁パッドなどの吸収性物品として、ポリエチレンシートまたはポリエチレンシートラミネート不織布などの不透液性裏面シートと、不織布または透液性プラスチックスシートなどの透液性表面シートとの間に綿状パルプ等からなる吸収体を介在したものが知られている。
【０００３】
この種の吸収性物品にも幾多の改良が重ねられ、体液漏れを防止するための手段が種々講じられている。これら体液漏れ防止手段の一つとして、熱エンボスによって凹状溝を形成する技術が存在する。例えば、下記特許文献１では、吸収層における肌当接面側に、平面視で、幅方向左側、幅方向右側、長手方向前側及び長手方向後側にそれぞれ左溝、右溝、前溝及び後溝が設けられており、前記左溝及び右溝は、それぞれ幅方向外側に凸に湾曲しており、前記前溝及び後溝はそれぞれ長手方向外側に凹に湾曲しており、前記左溝と前溝、左溝と後溝、前記右溝と前溝、及び右溝と後溝は、それぞれ分離しており、前記左溝の前端部及び右溝の前端部は、前記前溝の後端部よりも長手方向前側に位置しており、前記左溝の後端部及び右溝の後端部は、前記後溝の前端部よりも長手方向後側に位置している吸収性物品が開示されている。
【０００４】
また、下記特許文献２では、吸収層における肌当接面側の長手方向両側部に一対の溝が設けられており、一対の該溝は、前記吸収層の長手方向に延びる中心線に対して略線対象な形状を有しており、一対の該溝それぞれは、長手方向中央領域において幅方向外側に凸に湾曲するように形成されており、さらに、一対の前記溝それぞれは、前記長手方向中央領域から前方部及び後方部に延びており、前記長手方向中央領域の前後の少なくとも一方向において幅方向内側に括れた部分を有する吸収性物品が開示されている。
【先行技術文献】
【特許文献】
【０００５】
【特許文献１】特開２００７−１９５６６５号公報
【特許文献２】特開２００６−３２５６３９号公報
【発明の概要】
【発明が解決しようとする課題】
【０００６】
上記特許文献１、２記載の吸収性物品ではいずれも、吸収性物品の略前後方向に沿うとともに、幅方向外側に凸の曲線によって一対の溝（左溝及び右溝）が形成され、この一対の溝によって装着中に両側からの脚圧により吸収性物品の排血口部を肌面側に隆起させる構造となっている。さらに上記特許文献１、２記載の吸収性物品では、前記一対の溝（左溝及び右溝）の前後に連続して又は分離して略円弧状のエンボスが形成され、両側からの脚圧によって円弧状のエンボスで囲まれた領域を肌側へ向けて隆起させる構造となっている。
【０００７】
ところが、中央部の隆起とその前後部の隆起とがそれぞれのエンボスの作用によって生じるものであるため、特に中央部の隆起が不十分な場合が多く、肌と吸収性物品表面との密着性の低下による漏れの原因となっていた。
【０００８】
そこで本発明の主たる課題は、装着中に排血口部への密着性を向上させ、漏れ軽減を図った吸収性物品を提供することにある。
【課題を解決するための手段】
【０００９】
上記課題を解決するために請求項１に係る本発明として、透液性表面シートと不透液性裏面シートとの間に吸収体が介在された吸収性物品において、
前記吸収性物品の体液排出部位を挟む両側に、前記吸収性物品の略前後方向に沿うとともに、幅方向外側に向けて凸の１又は複数の弧状曲線によって形成された左右一対のフィットエンボスと、これらフィットエンボスの前後端に近接するか或いは接触した４箇所にそれぞれ、前記体液排出部位側に向けて凸の１又は複数の弧状曲線であって前記フィットエンボスよりも小サイズで前記フィットエンボスで挟まれた領域に対して両側からの脚圧によって体液排出部位側に向かう圧縮力を生じさせ、前記フィットエンボスで挟まれた排血口対応領域の表面側への隆起を促進するための隆起促進用エンボスとが設けられているとともに、前記隆起促進用エンボスは、前記フィットエンボスと前記吸収性物品の前後方向に重なり代を有するように設けられていることを特徴とする吸収性物品が提供される。
【００１０】
上記請求項１記載の発明では、前記吸収性物品の体液排出部位を挟む両側に、前記吸収性物品の略前後方向に沿うとともに、幅方向外側に向けて凸の１又は複数の弧状曲線によって形成された左右一対のフィットエンボスと、これらフィットエンボスの前後端に近接するか或いは接触した４箇所にそれぞれ、前記体液排出部位側に向けて凸の１又は複数の弧状曲線であって前記フィットエンボスよりも小サイズの隆起促進用エンボスとを設けてあるため、装着中に両側からの脚圧によって、前記フィットエンボスで挟まれた排血口対応領域が表面側に隆起するとともに、その前後端に設けられた隆起促進用エンボスが、前記フィットエンボスで挟まれた領域に対して体液排出部位側に向かう圧縮力を生じさせ、前記フィットエンボスで挟まれた排血口対応領域の表面側への隆起を促進するようになっている。このため、この隆起した排血口対応領域が装着中に排血口部へ確実に密着し、漏れが軽減できるようになる。
【００１１】
また、前記隆起促進用エンボスを、前記フィットエンボスと吸収性物品の前後方向に重なり代を有するように設けることにより、隆起促進用エンボスの体液排出部位側へ向かう圧縮力をフィットエンボスで挟まれた領域に伝えやすくなり、この領域をより表面側に隆起させることができるようになる。
【００１２】
請求項２に係る本発明として、前記吸収性物品の両側部にそれぞれ、装着時に基端部を折り返して下着のクロッチ部分を巻き込むようにして固定されるウイング状フラップが形成され、
前記フィットエンボスは、前記ウイング状フラップの基端部折返し線の中央部から前後方向にそれぞれ２０mm〜４０mmの範囲内に形成されている請求項１記載の吸収性物品が提供される。
【００１３】
請求項３に係る本発明として、前記吸収性物品の両側部にそれぞれ、装着時に基端部を折り返して下着のクロッチ部分を巻き込むようにして固定されるウイング状フラップが形成され、
前記フィットエンボス及び隆起促進用エンボスは、前記ウイング状フラップの基端部折返し線の中央部から前後方向にそれぞれ４０mm〜６０mmの範囲内に形成されている請求項１記載の吸収性物品が提供される。
【００１４】
上記請求項２、３記載の発明は、身体の寸法などを考慮して、各エンボスの好ましい形成範囲について規定したものである。
【００１５】
請求項４に係る本発明として、前記吸収体には、前記フィットエンボスで挟まれた領域に対応する領域に裏面側からエンボスが付与してある請求項１〜３いずれかに記載の吸収性物品が提供される。
【００１６】
上記請求項４記載の発明では、前記フィットエンボスで挟まれた領域に対応して、前記吸収体の裏面側からエンボスを付与することにより、この裏面側エンボスを可撓軸として、吸収体を表面側に湾曲して隆起しやすくしている。
【発明の効果】
【００１７】
以上詳説のとおり本発明によれば、装着中に排血口部への密着性が向上し、漏れ軽減が図れるようになる。
【図面の簡単な説明】
【００１８】
【図１】本発明に係る生理用ナプキン１の一部破断展開図である。
【図２】その横断面図（II−II線矢視図）である。
【図３】装着中の生理用ナプキン１に作用する応力の方向を示す平面図である。
【図４】エンボスの寸法を示す平面図である。
【図５】他の形態に係る生理用ナプキン１の展開図である。
【図６】フィットエンボス８を複数の弧状曲線の組み合わせによって構成した例(A)(B)を示す平面図である。
【図７】隆起促進用エンボス９を複数の弧状曲線の組み合わせによって構成した例(A)(B)を示す平面図である。
【発明を実施するための形態】
【００１９】
以下、本発明の実施の形態について図面を参照しながら詳述する。
【００２０】
本発明に係る生理用ナプキン１は、図１及び図２に示されるように、ポリエチレンシートなどからなる不透液性裏面シート２と、経血やおりものなどを速やかに透過させる透液性表面シート３と、これら両シート２，３間に介装された綿状パルプ又は合成パルプなどからなる吸収体４と、好ましくは前記吸収体４を囲繞する被包シート５と、表面側の両側部にそれぞれ長手方向に沿って形成されたサイド不織布７、７とから主に構成されている。
【００２１】
前記吸収体４の周囲においては、その上下端縁部で不透液性裏面シート２と透液性表面シート３との外縁部がホットメルトなどの接着剤やヒートシール等の接合手段によって接合され、またその両側縁部では吸収体４よりも側方に延出している前記不透液性裏面シート２と前記サイド不織布７とがホットメルトなどの接着剤やヒートシール等の接合手段によって接合され、これら不透液性裏面シート２とサイド不織布７とによる複合シート部分によって側方に突出するウイング状フラップＷ、Ｗが形成されている。このウイング状フラップＷ、Ｗの外面側（不透液性裏面シート２側）には粘着部（図示せず）を備え、下着に対する装着時に、基端部の折返し線ＲＬ位置にて反対側に折り返して下着のクロッチ部分に巻き付けて生理用ナプキン１を止着するようにする。
【００２２】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２３】
次いで、前記透液性表面シート３は、有孔または無孔の不織布や多孔性プラスチックシートなどが用いられるが、後段で詳述するエンボスの効果を高めるため不織布を用いることが好ましい。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、エアスルー法、エアレイド法、スパンレース法、スパンボンド法、メルトブローン法、ニードルパンチ法等の適宜の加工法によって得られた不織布を用いることができる。これらの加工法の内、スパンレース法は柔軟性、ドレープ性に富む点で優れ、エアスルー法は嵩高でソフトである点で優れている。
【００２４】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２５】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２６】
本例のように、吸収体４を囲繞する被包シート５を設ける場合には、結果的に透液性表面シート３と吸収体４との間に被包シート５が介在することになり、吸収性に優れる前記被包シート５によって体液を速やかに拡散させるとともに、これら経血等の逆戻りを防止するようになる。前記被包シート５としては、クレープ紙又は親水性不織布などを用いることができる。
【００２７】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。
【００２８】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。
【００２９】
前記透液性表面シート３と吸収体４との間に親水性のセカンドシート（図示せず）を配設しても良い。前記セカンドシートは、体液に対して親水性を有するものであればよく、具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維、又は多数の開孔処理を施したフィルム素材を用いることができる。
【００３０】
（エンボス構造）
図１に示されるように、前記生理用ナプキン１の体液排出部位Ｈを挟む両側に、前記生理用ナプキン１の略前後方向に沿うとともに、幅方向外側に向けて凸の弧状曲線によって形成された左右一対のフィットエンボス８、８と、これらフィットエンボス８、８の前後端に近接する４箇所にそれぞれ、前記体液排出部位Ｈ側に向けて凸の弧状曲線であって前記フィットエンボス８より小サイズの隆起促進用エンボス９、９…とが設けられている。前記フィットエンボス８、８は、体液排出部位Ｈを中心として前後方向にほぼ同等の範囲に形成されている。
【００３１】
本生理用ナプキン１では、前記フィットエンボス８、８を設けることにより、図３に示されるように、装着中の両側からの脚圧によって、フィットエンボス８、８で挟まれた領域（排血口対応領域１２）が表面側に隆起する。また、このフィットエンボス８、８の前後に近接して設けられた隆起促進用エンボス９…が、装着中の両側からの脚圧によって前記排血口対応領域１２に対して前後端部から体液排出部位Ｈに向かう応力を生じさせ、前記排血口対応領域１２の表面側への隆起を促進するようになっている。
【００３２】
また、フィットエンボス８、８で挟まれた排血口対応領域１２は、前記フィットエンボス８、８及び隆起促進用エンボス９…によってきっちりと表面側に隆起する変形が生じるため、脚圧による表面のヨレが抑えられ、ヨレによる密着性の低下や違和感の発生が生じにくくなる。さらに、前記隆起促進用エンボス９が体液排出部位Ｈ側に向けて凸の弧状曲線によって形成されているため、両側からの脚圧を体液排出部位Ｈ側に向かう圧縮力に変換しやすくなっている。
【００３３】
ここで、前記フィットエンボス８と隆起促進用エンボス９とは離隔して設けることが好ましい。各エンボス８、９を離隔して設けることにより、フィットエンボス８の前後端部を基点として排血口対応領域１２を確実に表面側に隆起させることができるようになる。また、図示例のように、前後方向中心線ＣＬを境に対向する隆起促進用エンボス９、９を離間して設けることにより、両側からの脚圧による圧縮力がそれぞれの隆起促進用エンボス９によって独立的に作用するようになっている。
【００３４】
また、図４に示されるように、隆起促進用エンボス９は、フィットエンボス８と生理用ナプキン１の前後方向に重なり代Ｄを有するように設けることが好ましい。具体的に生理用ナプキン１の前側に形成される隆起促進用エンボス９、９を例に説明すると、フィットエンボス８の前端部８ａを生理用ナプキン１の前後方向に対して隆起促進用エンボス９の前端部９ａと後端部９ｂとの間に設けることにより、前記重なり代Ｄが形成されるようにする。前記重なり代Ｄを設けることにより、隆起促進用エンボス９の体液排出部位Ｈ側へ向かう圧縮力が排血口対応領域１２に伝わりやすくなり、この領域１２をより表面側に隆起させやすくしている。
【００３５】
次に、身体の寸法を考慮した各エンボス８、９の寸法について、図４に基づいて説明する。フィットエンボス８は、ウイング状フラップＷの折返し線ＲＬの中央点Ｐから前後方向にそれぞれＬ１＝２０mm〜４０mmの範囲内に形成されている。また、フィットエンボス８及び隆起促進用エンボス９は、前記中央点Ｐから前後方向にそれぞれＬ２＝４０mm〜６０mmの範囲内に形成されている。また、幅方向外側に向けて凸の弧状曲線によって形成されたフィットエンボス８、８の幅方向頂点間の離隔幅Ｓ１は、製品状態の平面視で表面シート３が表面側に露出する幅Ｓ（両側のサイド不織布７、７の内側縁同士の離隔幅Ｓ）に対して、０．６Ｓ〜０．９Ｓとする。なお、各エンボス８、９の溝幅は、１．５〜２．０mmが好適である。
【００３６】
前記エンボス８、９は、吸収体４に表面シート３（必要に応じてセカンドシート）を積層した後、前記表面シート３の表面側から付与する。
【００３７】
ところで、前記吸収体４には、図５に示されるように、前記フィットエンボス８、８で挟まれた排血口対応領域１２に対応する領域に、裏面側から裏面側エンボス１０を付与することができる。前記裏面側エンボス１０としては、図示例のように、排血口対応領域１２の中央部で交差するように、左右のフィットエンボス８、８の前端部及び後端部をそれぞれ結んだライン上に連続的又は非連続的に付与することができる。これにより、裏面側エンボス１０を可撓軸として吸収体が表面側に湾曲して隆起しやすくなり、特に前記裏面側エンボス１０、１０を交差させた場合には、この交差点となる排血口対応領域１２の中央部を頂点として排血口対応領域１２が表面側に隆起するようになるため、装着中の排血口部への密着性が向上する。
【００３８】
前記裏面側エンボス１０を付与する場合、吸収体４に前記裏面側エンボス１０を付与した後、表面シート３を積層し、表面シート３の表面側からフィットエンボス８及び隆起促進用エンボス９を付与する。なお、前記裏面側エンボス１０は、吸収体４のみに付与することもできるし、吸収体４が被包シート５によって囲繞される場合には被包シート５の外面側から付与することもできる。
【００３９】
（エンボス８，９の変形例）
上記形態例では、前記フィットエンボス８が１つの弧状曲線によって構成され、前記隆起促進用エンボス９が１つの弧状曲線によって構成された例を示したが、前記フィットエンボス８及び隆起促進用エンボス９は、複数の弧状曲線を組み合わせたものであってもよい。
【００４０】
例えば、図６(A)は前記フィットエンボス８を幅方向外側に向けて凸の２つの弧状曲線の組合せによって構成した例であり、図６(B)はフィットエンボス８を幅方向外側に向けて凸の３つの弧状曲線の組合せによって構成した例である。
【００４１】
また、図７(A)は前記隆起促進用エンボス９を体液排出部位側に向けて凸の２つの弧状曲線によって構成した例であり、図７(B)は前記隆起促進用エンボス９を体液排出部位側に向けて凸の３つの弧状曲線によって構成した例である。更に、前記フィットエンボス８を幅方向外側に向けて凸の複数の弧状曲線の組合せによって構成し、前記隆起促進用エンボス９を体液排出部位側に向けて凸の複数の弧状曲線によって構成してもよい（図示せず）。
【００４２】
（他の形態例）
(1)上記形態例では、前後方向のほぼ中央部に体液排出部位Ｈが位置するいわゆる昼用生理用ナプキン１について説明したが、体液排出部位Ｈが前側に偏倚し、後側に長いいわゆる夜用生理用ナプキン１についても同様に適用できる。
(2)上記形態例では、フィットエンボス８と隆起促進用エンボス９とを離間して設けるようにしているが、フィットエンボス８の前後端の４箇所にそれぞれ隆起促進用エンボス９を接触して設けるようにしても良い。
【符号の説明】
【００４３】
１…生理用ナプキン、２…不透液性裏面シート、３…透液性表面シート、４…吸収体、５…被包シート、７…サイド不織布、８…フィットエンボス、９…隆起促進用エンボス、１０…裏面側エンボス、１２…排血口対応領域
【図１】
0005616185.tif 000002
【図２】
0005616185.tif 000003
【図３】
0005616185.tif 000004
【図４】
0005616185.tif 000005
【図５】
0005616185.tif 000006
【図６】
0005616185.tif 000007
【図７】
0005616185.tif 000008